【手続補正書】
【提出日】平成28年4月4日(2016.4.4)
【手続補正１】
【補正対象書類名】特許請求の範囲
【補正対象項目名】全文
【補正方法】変更
【補正の内容】
【特許請求の範囲】
【請求項１】
ネットワークノード（100）から無線端末（200）へデータを送信する方法であって、
第１の多数入力・多数出力（ＭＩＭＯ）送信時間間隔（ＴＴＩ）の期間に、第１及び第２のデータブロックをそれぞれ第１及び第２のＭＩＭＯレイヤで前記無線端末（200）へ送信するステップ（1899）と、
前記第１のＭＩＭＯ  ＴＴＩの期間に、第３のデータブロックを第３のＭＩＭＯレイヤで前記無線端末（200）へ送信するステップ（1899）と、
前記第１のＭＩＭＯ  ＴＴＩに対して、前記第１、第２及び第３のＭＩＭＯレイヤにそれぞれマッピングされる第１及び第２のＡＣＫ‐ＮＡＣＫ符号語を含むフィードバックを、前記無線端末（200）から受信するステップ（1901）であって、前記第２のＡＣＫ‐ＮＡＣＫ符号語が、前記第２及び第３のＭＩＭＯレイヤにマッピングされる、前記ステップと、
前記第１のＡＣＫ‐ＮＡＣＫ符号語がＡＣＫであり、且つ、前記第２のＡＣＫ‐ＮＡＣＫ符号語がＮＡＣＫであることに応じて、前記第１のＭＩＭＯレイヤについての間欠送信インジケータを前記無線端末（200）へ送信するステップ（2121）と、
前記第１のＡＣＫ‐ＮＡＣＫ符号語がＡＣＫであり、且つ、前記第２のＡＣＫ‐ＮＡＣＫ符号語がＮＡＣＫであることに応じて、前記間欠送信インジケータの送信後に、第２のＭＩＭＯ  ＴＴＩの期間に、前記第２のデータブロックを前記第２のＭＩＭＯレイヤで前記無線端末（200）へ再送するステップ（2123）と、
前記第１のＡＣＫ‐ＮＡＣＫ符号語がＡＣＫであり、且つ、前記第２のＡＣＫ‐ＮＡＣＫ符号語がＮＡＣＫであることに応じて、前記間欠送信インジケータの送信後に、前記第２のＭＩＭＯ  ＴＴＩの期間に、前記第３のデータブロックを前記第３のＭＩＭＯレイヤで前記無線端末（200）へ再送するステップ（2123）と、
を含むことを特徴とする方法。
【請求項２】
前記間欠送信インジケータを送信するステップは、下りリンク・シグナリングチャネルで前記間欠送信インジケータを送信するステップを含み、前記第２のデータブロックを再送するステップは、下りリンク・トラフィックチャネルで前記第２のデータブロックを再送するステップを含む、
ことを特徴とする請求項１に記載の方法。
【請求項３】
前記下りリンク・シグナリングチャネルは、高速共有制御チャネル（ＨＳ−ＳＣＣＨ）を含み、前記下りリンク・トラトラフィックチャネルは、高速物理下りリンク共有チャネル（ＨＳ−ＰＤＳＣＨ）を含む、
ことを特徴とする請求項２に記載の方法。
【請求項４】
前記間欠送信インジケータを送信するステップは、前記第１のＭＩＭＯレイヤについての前記ＨＳ−ＳＣＣＨ下りリンク・シグナリングチャネルのトランスポートブロックサイズ・フィールド内のビットパターンとして、前記間欠送信インジケータを送信するステップを含む、
ことを特徴とする請求項３に記載の方法。
【請求項５】
前記間欠送信インジケータを送信するステップは、前記第１のＭＩＭＯレイヤについての前記ＨＳ−ＳＣＣＨ下りリンク・シグナリングチャネルの前記トランスポートブロックサイズ・フィールドで、１１１１１１のビットパターンを送信するステップを含む、
ことを特徴とする請求項４に記載の方法。
【請求項６】
前記間欠送信インジケータを送信するステップは、前記ＨＳ−ＳＣＣＨ下りリンク・シグナリングチャネルの変調及び送信ランク・フィールド内のビットパターンとして、前記間欠送信インジケータを送信するステップを含む、
ことを特徴とする請求項３に記載の方法。
【請求項７】
前記間欠送信インジケータを送信するステップは、前記ＨＳ−ＳＣＣＨ下りリンク・シグナリングチャネルの前記変調及び送信ランク・フィールドで、１１１１０のビットパターン及び１１１１１のビットパターンのうちの１つを送信するステップを含む、
ことを特徴とする請求項６に記載の方法。
【請求項８】
前記第１のＭＩＭＯ  ＴＴＩの期間に、第４のデータブロックを第４のＭＩＭＯレイヤで前記無線端末（200）へ送信するステップ（1899）であって、前記第１のＡＣＫ‐ＮＡＣＫ符号語が、前記第１及び第４のＭＩＭＯレイヤにマッピングされる、前記ステップを更に含み、
前記第２及び第３のデータブロックを再送するステップは、前記第１のＭＩＭＯ  ＴＴＩのＭＩＭＯ送信ランクを前記第２のＭＩＭＯ  ＴＴＩに対して維持しながら、前記第２のＭＩＭＯ  ＴＴＩの期間に、前記第１及び第４のデータブロックを再送することなく前記第２及び第３のデータブロックを再送するステップを含む、
ことを特徴とする請求項１から７のいずれか１項に記載の方法。
【請求項９】
前記第１及び第２のＡＣＫ‐ＮＡＣＫ符号語が否定応答（ＮＡＣＫ）であることに応じて、前記第２のＭＩＭＯ  ＴＴＩの期間に、前記第１及び第２のデータブロックをそれぞれ前記第１及び第２のＭＩＭＯレイヤで前記無線端末（200）へ再送するステップ（1911）、
を更に含むことを特徴とする請求項１から８のいずれか１項に記載の方法。
【請求項１０】
前記第２のデータブロックを再送するステップは、前記第１のＭＩＭＯ  ＴＴＩのＭＩＭＯ送信ランクを前記第２のＭＩＭＯ  ＴＴＩに対して維持しながら、前記第２のＭＩＭＯ  ＴＴＩの期間に、前記第１のデータブロックを再送することなく前記第２のデータブロックを再送するステップを含む、
ことを特徴とする請求項１から７のいずれか１項に記載の方法。
【請求項１１】
無線アクセスネットワーク（60）の基地局（100）であって、
無線端末との、無線チャネル（300）を介した通信を提供するよう構成された送受信機（109）と、
前記送受信機（109）と接続されたプロセッサ（101）と、を備え、
前記プロセッサは、
第１の多数入力・多数出力（ＭＩＭＯ）送信時間間隔（ＴＴＩ）の期間に、前記送受信機を介して、第１及び第２のデータブロックをそれぞれ第１及び第２のＭＩＭＯレイヤで前記無線端末（200）へ送信し、
前記第１のＭＩＭＯ  ＴＴＩの期間に、第３のデータブロックを第３のＭＩＭＯレイヤで前記無線端末（200）へ送信し、
前記第１のＭＩＭＯ  ＴＴＩに対して、前記第１、第２及び第３のＭＩＭＯレイヤにそれぞれマッピングされる第１及び第２のＡＣＫ‐ＮＡＣＫ符号語を含むフィードバックを、前記送受信機を介して前記無線端末（200）から受信し、ここで、前記第２のＡＣＫ‐ＮＡＣＫ符号語が、前記第２及び第３のＭＩＭＯレイヤにマッピングされており、
前記第１のＡＣＫ‐ＮＡＣＫ符号語がＡＣＫであり、且つ、前記第２のＡＣＫ‐ＮＡＣＫ符号語がＮＡＣＫであることに応じて、前記第１のＭＩＭＯレイヤについての間欠送信インジケータを、前記送受信機を介して前記無線端末（200）へ送信し、
前記第１のＡＣＫ‐ＮＡＣＫ符号語がＡＣＫであり、且つ、前記第２のＡＣＫ‐ＮＡＣＫ符号語がＮＡＣＫであることに応じて、前記間欠送信インジケータの送信後に、第２のＭＩＭＯ  ＴＴＩの期間に、前記第２のデータブロックを、前記送受信機を介して前記第２のＭＩＭＯレイヤで前記無線端末（200）へ再送し、
前記第１のＡＣＫ‐ＮＡＣＫ符号語がＡＣＫであり、且つ、前記第２のＡＣＫ‐ＮＡＣＫ符号語がＮＡＣＫであることに応じて、前記間欠送信インジケータの送信後に、前記第２のＭＩＭＯ  ＴＴＩの期間に、前記第３のデータブロックを前記第３のＭＩＭＯレイヤで前記無線端末（200）へ再送する、
よう構成されることを特徴とする基地局。
【請求項１２】
前記プロセッサは、下りリンク・シグナリングチャネルで前記間欠送信インジケータを送信することによって、前記間欠送信インジケータを送信し、下りリンク・トラフィックチャネルで前記第２のデータブロックを再送することによって、前記第２のデータブロックを再送するよう構成される、
ことを特徴とする請求項１１に記載の基地局。
【請求項１３】
前記下りリンク・シグナリングチャネルは、高速共有制御チャネル（ＨＳ−ＳＣＣＨ）を含み、前記下りリンク・トラトラフィックチャネルは、高速物理下りリンク共有チャネル（ＨＳ−ＰＤＳＣＨ）を含む、
ことを特徴とする請求項１２に記載の基地局。
【請求項１４】
前記プロセッサは、前記第１のＭＩＭＯレイヤについての前記ＨＳ−ＳＣＣＨ下りリンク・シグナリングチャネルのトランスポートブロックサイズ・フィールド内のビットパターンとして、前記間欠送信インジケータを送信することによって、前記間欠送信インジケータを送信するよう構成される、
ことを特徴とする請求項１３に記載の基地局。
【請求項１５】
前記プロセッサは、前記第１のＭＩＭＯレイヤについての前記ＨＳ−ＳＣＣＨ下りリンク・シグナリングチャネルの前記トランスポートブロックサイズ・フィールドで、１１１１１１のビットパターンを送信することによって、前記間欠送信インジケータを送信するよう構成される、
ことを特徴とする請求項１４に記載の基地局。
【請求項１６】
ネットワークノード（100）から無線端末（200）へデータを送信する方法であって、
第１の多数入力・多数出力（ＭＩＭＯ）送信時間間隔（ＴＴＩ）の期間に、第１及び第２のデータブロックをそれぞれ第１及び第２のＭＩＭＯレイヤで前記無線端末（200）へ送信するステップ（1899）と、
前記第１のＭＩＭＯ  ＴＴＩの期間に、第３のデータブロックを第３のＭＩＭＯレイヤで前記無線端末（200）へ送信するステップ（1899）と、
前記第１のＭＩＭＯ  ＴＴＩに対して、前記第１及び第２のＭＩＭＯレイヤにそれぞれマッピングされる第１及び第２のＡＣＫ‐ＮＡＣＫ符号語を含むフィードバックを、前記無線端末（200）から受信するステップ（1901）であって、前記第２のＡＣＫ‐ＮＡＣＫ符号語が、前記第２及び第３のＭＩＭＯレイヤにマッピングされる、前記ステップと、
前記第１及び第２のＡＣＫ‐ＮＡＣＫ符号語のうちの一方が肯定応答（ＡＣＫ）であり、且つ、前記第１及び第２のＡＣＫ‐ＮＡＣＫ符号語のうちの他方が否定応答（ＮＡＣＫ）である場合に、第２のＭＩＭＯ  ＴＴＩの期間に、前記第１及び第２のデータブロックをそれぞれ前記第１及び第２のＭＩＭＯレイヤで前記無線端末（200）へ再送するステップ（1911）と、
前記第１及び第２のＡＣＫ‐ＮＡＣＫ符号語のうちの一方が肯定応答（ＡＣＫ）であり、且つ、前記第１及び第２のＡＣＫ‐ＮＡＣＫ符号語のうちの他方が否定応答（ＮＡＣＫ）である場合に、前記第２のＭＩＭＯ  ＴＴＩの期間に、前記第３のデータブロックを前記第３のＭＩＭＯレイヤで前記無線端末（200）へ再送するステップ（1911）と、
を含むことを特徴とする方法。
【請求項１７】
前記第１のＭＩＭＯ  ＴＴＩの期間に、第４のデータブロックを第４のＭＩＭＯレイヤで前記無線端末（200）へ送信するステップ（1899）であって、前記第１のＡＣＫ‐ＮＡＣＫ符号語が、前記第１及び第４のＭＩＭＯレイヤにマッピングされる、前記ステップと、
前記第１及び第２のＡＣＫ‐ＮＡＣＫ符号語のうちの一方が肯定応答（ＡＣＫ）であり、且つ、前記第１及び第２のＡＣＫ‐ＮＡＣＫ符号語のうちの他方が否定応答（ＮＡＣＫ）である場合に、前記第２のＭＩＭＯ  ＴＴＩの期間に、前記第４のデータブロックを前記第４のＭＩＭＯレイヤで前記無線端末（200）へ再送するステップ（1911）と、
を更に含むことを特徴とする請求項１６に記載の方法。
【請求項１８】
前記第１及び第２のＡＣＫ‐ＮＡＣＫ符号語が否定応答（ＮＡＣＫ）であることに応じて、前記第２のＭＩＭＯ  ＴＴＩの期間に、前記第１及び第２のデータブロックをそれぞれ前記第１及び第２のＭＩＭＯレイヤで前記無線端末（200）へ再送するステップ（1911）、
を更に含むことを特徴とする請求項１６又は１７に記載の方法。
【請求項１９】
無線アクセスネットワーク（60）の基地局（100）であって、
無線端末との、無線チャネル（300）を介した通信を提供するよう構成された送受信機（109）と、
前記送受信機（109）と接続されたプロセッサ（101）と、を備え、
前記プロセッサは、
第１の多数入力・多数出力（ＭＩＭＯ）送信時間間隔（ＴＴＩ）の期間に、前記送受信機を介して、第１及び第２のデータブロックをそれぞれ第１及び第２のＭＩＭＯレイヤで前記無線端末（200）へ送信し、
前記第１のＭＩＭＯ  ＴＴＩの期間に、第３のデータブロックを第３のＭＩＭＯレイヤで前記無線端末（200）へ送信し、
前記第１のＭＩＭＯ  ＴＴＩに対して、前記第１、第２及び第３のＭＩＭＯレイヤにそれぞれマッピングされる第１及び第２のＡＣＫ‐ＮＡＣＫ符号語を含むフィードバックを、前記送受信機を介して前記無線端末（200）から受信し、ここで、前記第２のＡＣＫ‐ＮＡＣＫ符号語が、前記第２及び第３のＭＩＭＯレイヤにマッピングされており、
前記第１及び第２のＡＣＫ‐ＮＡＣＫ符号語のうちの一方が肯定応答（ＡＣＫ）であり、且つ、前記第１及び第２のＡＣＫ‐ＮＡＣＫ符号語のうちの他方が否定応答（ＮＡＣＫ）である場合に、第２のＭＩＭＯ  ＴＴＩの期間に、前記送受信機を介して、前記第１及び第２のデータブロックをそれぞれ前記第１及び第２のＭＩＭＯレイヤで前記無線端末（200）へ再送し、
前記第１及び第２のＡＣＫ‐ＮＡＣＫ符号語のうちの一方が肯定応答（ＡＣＫ）であり、且つ、前記第１及び第２のＡＣＫ‐ＮＡＣＫ符号語のうちの他方が否定応答（ＮＡＣＫ）である場合に、前記第２のＭＩＭＯ  ＴＴＩの期間に、前記第３のデータブロックを前記第３のＭＩＭＯレイヤで前記無線端末（200）へ再送する、
よう構成されることを特徴とする基地局。